(57)【要約】【課題】高齢者あるいは膝・腰痛に悩む人に使い勝手のよい回転椅子を提供する。【解決手段】脚部１０と、座部２０と、回転盤３０と、脚部１０に対する座部２０の回転を規制するロック部４０と、を備え、使用者が着座する回転椅子１であって、座部２０は、表側に使用者が着座し、裏側に回転盤３０が配置される座板２１と、背もたれ２２と、一対の肘掛け２３と、を有し、脚部１０は、回転盤３０を表面に固定する天板１２と、天板１２に固定される支持脚１１と、を有し、肘掛け２３は、上下方向に弾性変形可能であり、ロック部４０は、座板２１と天板１２との間に配置される押止板４２と、一対の肘掛け２３を押止板４２とを連結し、押止板４２を天板１２から離間した位置に位置付ける肘掛け支柱４１と、を有し、押止板４２は、一対の肘掛け２３を押下して下方に弾性変形させた場合に、天板１２の一部に座部２０の回転を規制するように圧接される。【選択図】図１
0003194283.tif 000002
【実用新案登録請求の範囲】
【請求項１】
座部と、
当該座部を床面から所定の高さに位置付ける脚部と、
前記座部と前記脚部との間に介在し、前記座部を回転自在に支持する回転盤と、
前記脚部に対する前記座部の回転の規制及び規制解除を行うロック部と、を備え、使用者が着座する回転椅子であって、
前記座部は、表側に使用者が着座し、裏側に前記回転盤が配置される座板と、当該座板の後方に配置される背もたれと、前記座板における前記背もたれの両側に配置され、使用者の両腕をそれぞれ支持する一対の肘掛けと、を有し、
前記脚部は、前記回転盤を表面に固定する天板と、当該天板の裏面に基端部が固定され、先端部が床面に当接する支持脚と、を有し、
前記肘掛けは、上下方向に弾性変形可能であり、
前記ロック部は、前記一対の肘掛けに連動し、前記一対の肘掛けを下方に弾性変形させた場合に、前記座部の回転を規制することを特徴とする回転椅子。
【請求項２】
前記ロック部は、前記座板と前記天板との間に配置される押止板と、前記一対の肘掛けを前記押止板とを連結し、前記押止板を前記天板から離間した位置に位置付ける肘掛け支柱と、を有し、
前記押止板は、前記一対の肘掛けを押下して下方に弾性変形させた場合に、前記一対の肘掛けに連動して下方に移動し、前記天板の一部に前記座部の回転を規制するように圧接されることを特徴とする請求項１記載の回転椅子。
【考案の詳細な説明】
【技術分野】
【０００１】
本考案は、回転椅子に関するものであり、高齢者あるいは膝・腰痛に悩む人が使用する回転椅子に関する。
【背景技術】
【０００２】
従来より、妊婦や高齢者あるいは身体の不自由な人が安全に使用できるように各種の工夫が施された椅子が提案されている。例えば、特許文献１には、脚体とこの脚体に支持された座及び背とを具備するものであって、座が脚体に水平旋回可能に支持されているものであり、背が、座の後方およびいずれか一側方において、脚体に固定するようにして形成され、その上端を肘掛けとして使用できるものとした椅子について開示されている。
【０００３】
この椅子によれば、座が水平旋回するのに対して、後方及び一側方に設けた背は安定して動かないため、着座起立動作の際に、使用者は、座の後方に形成されている背に安心してつかまることができる。
【先行技術文献】
【特許文献】
【０００４】
【特許文献１】特開２０００−１２５９７０号公報
【考案の概要】
【考案が解決しようとする課題】
【０００５】
しかしながら、特許文献１の椅子には、着座状態の使用者の両側部に肘掛けが備えられていない。このため、使用者が離座する際に、両側部の肘掛けをそれぞれ両手で持って、腕の力で胴体を持ち上げる、といった動作が困難である。特に、妊婦や高齢者あるいは膝・腰痛に悩む人のように、着座状態から起立することが困難な使用者にとっては、使用者の両側部に肘掛けが配置される椅子の方が、使用勝手がよい場合がある。更に、着座状態から起立することが困難な使用者にとっては、回転機能を有する椅子、所謂、回転椅子の方が、離座する方向に身体を向けることが容易になるため、利便性がよい場合がある。
【０００６】
ところで、通常、椅子には背もたれがついており、その両側部に肘掛けが配置されているタイプの椅子が一般的である。回転椅子においては、座と背もたれとその両側部の肘掛けとが一体となって回転するタイプのものが一般的である。しかし、回転椅子においては、使用者が着座しようとして、使用者が肘掛けを掴んだ際にバランスを崩してしまい易い。このため、膝や腰を痛めている使用者、あるいは高齢により足腰が弱ってきた使用者のように、着座や離座の際に肘掛けを利用している使用者にとっては、使い勝手がよくない場合がある。
【０００７】
また、従来、使用者等が例えばレバー操作することによって回転座が回転しない状態に切替るストッパ機能を備える回転椅子が存在する。しかし、使用者がレバー操作を忘れてしまったり、レバー操作が使用者にとって煩わしいことから使用者が敢えてレバーを操作しなかったり、更には椅子にストッパ機能が備えられていることを知らなかったりするなど、回転座のストッパ機能が活用されない場合もある。
【０００８】
本考案は、このような問題点を解決し、高齢者あるいは膝・腰痛に悩む人にとって使い勝手のよい回転椅子を提供することを目的とする。
【課題を解決するための手段】
【０００９】
前記目的を達成するため、本考案は、次に記載する構成を備えている。
【００１０】
（１）  座部と、当該座部を床面から所定の高さに位置付ける脚部と、前記座部と前記脚部との間に介在し、前記座部を回転自在に支持する回転盤と、前記脚部に対する前記座部の回転の規制及び規制解除を行うロック部と、を備え、使用者が着座する回転椅子であって、前記座部は、表側に使用者が着座し、裏側に前記回転盤が配置される座板と、当該座板の後方に配置される背もたれと、前記座板における前記背もたれの両側に配置され、使用者の両腕をそれぞれ支持する一対の肘掛けと、を有し、前記脚部は、前記回転盤を表面に固定する天板と、当該天板の裏面に基端部が固定され、先端部が床面に当接する支持脚と、を有し、前記肘掛けは、上下方向に弾性変形可能であり、前記ロック部は、前記座板と前記天板との間に配置される押止板と、前記一対の肘掛けを前記押止板とを連結し、前記押止板を前記天板から離間した位置に位置付ける肘掛け支柱と、を有し、前記押止板は、前記一対の肘掛けを押下して下方に弾性変形させた場合に、前記一対の肘掛けに連動して下方に移動し、前記天板の一部に前記座部の回転を規制するように圧接されることを特徴とする回転椅子。
【００１１】
（２）  （１）において、前記ロック部は、前記座板と前記天板との間に配置される押止板と、前記一対の肘掛けを前記押止板とを連結し、前記押止板を前記天板から離間した位置に位置付ける肘掛け支柱と、を有し、前記押止板は、前記一対の肘掛けを押下して下方に弾性変形させた場合に、前記一対の肘掛けに連動して下方に移動し、前記天板の一部に前記座部の回転を規制するように圧接されることを特徴とする回転椅子。
【００１２】
（１）、（２）によれば、使用者が回転椅子に着座した状態から離座する際に、肘掛けを押下して両腕の力で胴体を持ち上げようとするという、使用者にとって自然な動作によって回転椅子の座部の回転が規制される。このため、使用者は、座部の回転を規制すること対して特に意識することなく、座部の回転を規制することが可能になり、高齢者あるいは膝・腰痛に悩む人にとって使い勝手のよい回転椅子を提供することが可能になる。
【考案の効果】
【００１３】
本考案によれば、高齢者あるいは膝・腰痛に悩む人にとって使い勝手のよい回転椅子を提供することが可能になる。
【図面の簡単な説明】
【００１４】
【図１】本考案の一実施形態における回転椅子１の構成を示す図である。
【図２】本考案の一実施形態における回転椅子１の使用の際の動作を示す図である。
【考案を実施するための形態】
【００１５】
以下、本考案の実施形態について、図面を参照しながら詳細に説明する。
【００１６】
図１は、本考案の一実施形態における回転椅子１の構成を示す図であり、図１（ａ）は平面図、図１（ｂ）は正面図、図１（ｃ）は側面図である。
【００１７】
回転椅子１は、脚部１０と、座部２０と、回転盤３０と、ロック部４０と、によって構成されている。
【００１８】
脚部１０は、４本の支持脚１１と、円形の天板１２とからなり、４本の支持脚１１は、天板１２の裏面において、中心が天板１２の円形の中心に等しい仮想正方形の４箇所の頂点部位に立設している。
【００１９】
座部２０は、座板２１と、背もたれ２２と、一対の肘掛け２３、２３と、によって構成されている。
【００２０】
座板２１は、天板１２よりも大きい略正方形の板状部材である。
【００２１】
背もたれ２２は、二本と背もたれ支柱２２ａと、背もたれ板２２ｂとによって構成されている。
【００２２】
背もたれ支柱２２ａは、中央部がなだらかな角度に曲がっている棒状部材によって構成されており、背もたれ支柱２２ａ、２２ａの基端部は、座板２１の表面側における一辺の両端部に固定されており、背もたれ支柱２２ａ、２２ａは、座板２１の表面から上方に立設している。
【００２３】
背もたれ板２２ｂは、弧状に形成された帯状の板状部材からなり、背もたれ板２２ｂの両端部が、支柱２２ａ、２２ａの上部に固定される。この際、背もたれ板２２ｂは座板２１に対して外側に膨らむように固定される。
【００２４】
なお、以下の説明の便宜上、座板２１において、中心に対して背もたれ板２２ｂが設置された一辺側を後方、後方の一辺に対して直角に延びる二辺側を側方、後方の一辺に対向する一辺側を前方と称することにする。
【００２５】
肘掛け２３は、略Ｌ字形に屈曲した帯状の板状部材からなり、一対の肘掛け２３、２３は、座板２１の表面側における両側部に配置されている。一対の肘掛け２３、２３の基端部は、背もたれ２２の両側部、すなわち座板２１の後方の角部近傍に固定されており、この固定部位から上方に延び、背もたれ支柱２２ａ、２２ａの屈曲部分付近で折れ曲がり、先端部が座板２１の前方の角部まで延在する。更に、肘掛け２３は、屈曲部分において弾性変形可能であり、先端部が上下方向に板ばね状の揺動可能である。
【００２６】
回転盤３０は、固定板３０ａと、この固定板３０ａに対向配置され、固定板３０ａに回転自在に支持される回転板３０ｂとを備えている。
【００２７】
固定板３０ａは、天板１２の表面の中心に固定され、回転板３０ｂは、座板２１の裏面の中心に固定される。すなわち、脚部１０と座部２０との間に回転盤３０が介在することにより、座部２０が脚部１０に対して回転自在になる。
【００２８】
ロック部４０は、脚部１０に対する座部２０の回転の規制及び規制解除を行うものであり、肘掛け支柱４１と、押止板４２とによって構成されている。
【００２９】
肘掛け支柱４１は、矩形の板状部材からなり、肘掛け２３の先端部の裏面から下方に立設されている。ここで、座板２１における肘掛け２３の先端部との対向部分には、スリット２１ａ、２１ａが形成されており、このスリット２１ａ、２１ａに肘掛け支柱４１の先端部が挿入される。肘掛け支柱４１の先端面は、座板２１の裏面に面一である。
【００３０】
押止板４２は、矩形の板状部材からなり、長手方向の両端部が肘掛け支柱４１の先端部に固定される。つまり、押止板４２は、座板２１の裏面側に配置される。このように、一対の肘掛け２３、２３と押止板４２の両端部とは、肘掛け支柱４１によって連結され、押止板４２は、座板２１と天板１２との間に配置されて天板１２から所定間隔だけ離間した位置に位置付けられる。
【００３１】
また押止板４２において天板１２に対向する平面領域、及び座板２１が回転した際に天板１２表面において押止板４２に対向する領域は、摩擦係数が高く形成されている。ここで、肘掛け２３は、先端部が上下方向に板ばね状の揺動可能であるため、肘掛け支柱４１及びは、肘掛け２３に連動して上下方向に移動可能である。このため、一対の肘掛け２３、２３を押下して下方に弾性変形させることにより、押止板４２が一対の肘掛け２３、２３に連動して下方に移動し、天板１２の一部に押止板４２が圧接される。これにより、押止板４２と天板１２との間に摩擦力が作用して、座板２１の回転が規制される規制状態となる。なお、一対の肘掛け２３、２３が弾性変形していない状態においては、座板２１と天板１２とが離間しているため、座板２１の回転が規制されていない規制解除状態となる。
【００３２】
そして、脚部１０、座部２０、回転盤３０及びロック部４０を組み合わせることによって、回転椅子１が構成される。これにより、座部２０は、脚部１０に回転盤３０を介して回転自在に固定され、脚部１０によって座部２０を床面から所定の高さ（例えば、使用者の膝付近）に位置付けられる。
【００３３】
次に、回転椅子１の使用時の動作について説明する。
【００３４】
使用者が回転椅子１に着座した場合、使用者の両側部にそれぞれ肘掛け２３、２３が配置され、使用者が肘掛け２３、２３に両腕を載せることにより、使用者の両腕はそれぞれ一対の肘掛け２３、２３に支持される。この時、肘掛け２３は、両腕を載せた程度では弾性変形しないように構成されている。また、使用者が回転椅子１に着座した状態において、使用者が足を床に付けて膝を横方向に移動させることによって座部２０が旋回する。これにより、使用者は、回転椅子１に着座したまま向きを変えることができる。
【００３５】
使用者が、回転椅子１に着座した状態から、離座しようとして両手で肘掛け２３を掴み、図２に示すように、肘掛け２３を押下して両腕の力で胴体を持ち上げようとした場合、肘掛け２３は強く下方に押下される。このため、使用者が肘掛け２３を押下している間は座部２０の回転が規制された状態となり、使用者は安全に回転椅子１から離座することが可能になる。
【００３６】
そして、使用者が回転椅子１を離座した後は、肘掛け２３が元の状態に戻ることにより、押止板４２が天板１２から離間し、座部２０の回転規制状態が自動的に解除される。
【００３７】
このように本考案の回転椅子１によれば、使用者が回転椅子１に着座した状態から離座する際に、肘掛け２３を押下して両腕の力で胴体を持ち上げようとするという、使用者にとって自然な動作によって回転椅子１の座部２０の回転が規制される。これにより、使用者は、座部２０の回転を規制すること対して特に意識することなく、座部２０の回転を規制することが可能になり、高齢者あるいは膝・腰痛に悩む人にとって使い勝手のよい回転椅子を提供することが可能になる。
【００３８】
以上、本考案の実施形態について説明したが、本考案の実施形態は、上述した実施形態に限るものではない。例えば、上述した実施形態によれば、一対の肘掛け２３、２３にそれぞれ設けた肘掛け支柱４１、４１に一枚の押止板４２の両端部を固定しているが、それに限らず、肘掛け支柱４１、４１の先端部にそれぞれ一枚の押止板４２を固定してもよい。これにより、一対の肘掛け２３、２３の少なくとも一方を押下することにより、座部２０の回転を規制することが可能になる。
【００３９】
また、上述した実施形態によれば、押止板４２は矩形であるが、それ以外の形状であっても良く、例えば円弧状に形成して天板１２との接触面積を確保してもよい。また、押止板４２における天板１２との対向面に、例えばゴム部材を設けて摩擦力を高めてもよい。
【符号の説明】
【００４０】
１  回転椅子
１０  脚部
１１  支持脚
１２  天板
２０  座部
２１  座板
２１ａ  スリット
２２  背もたれ
２２ａ  背もたれ支柱
２２ｂ  背もたれ板
２３  肘掛け
３０  回転盤
３０ａ  固定板
３０ｂ  回転板
４０  ロック部
４１  肘掛け支柱
４２  押止板
【図１】
0003194283.tif 000003
【図２】
0003194283.tif 000004